【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
複数の受信者側装置と、前記複数の受信者側装置とネットワークを経由して接続されたルータとの間でパケット転送を制御するブリッジ装置であって、
マルチキャストパケットのアドレスと、該マルチキャストパケットの転送先となる前記受信者側装置を特定するための特定情報と、を対応付けてエントリ情報として記憶するエントリ情報記憶部と、
前記エントリ情報を前記エントリ情報記憶部へ登録あるいは削除するエントリ情報管理部と、
前記ルータから受信したマルチキャストパケットを前記受信者側装置に転送するマルチキャストパケット転送部と、
前記受信者側装置から送信される制御パケットを解析する制御パケット解析部と、
タイマ部と、を備え、
前記マルチキャストパケット転送部は、
前記ルータから受信したマルチキャストパケットのアドレスが、前記エントリ情報記憶部のエントリ情報に含まれていれば、該マルチキャストパケットを、該エントリ情報に対応付けられている前記受信者側装置へ個別に転送し、
前記エントリ情報管理部は、
前記受信者側装置から送信される制御パケットが、前記制御パケット解析部によって、マルチキャスト転送の離脱メッセージであると判定されたときは、前記タイマ部の時刻を計時して、所定時間を計時した後に、前記離脱メッセージを送信してきた前記受信者側装置を特定するための特定情報を含む前記エントリ情報を削除する、ブリッジ装置。
【請求項２】
前記マルチキャストパケット転送部は、前記ルータから受信したマルチキャストパケットのアドレスが、前記エントリ情報記憶部のエントリ情報に含まれていなければ、該マルチキャストパケットをネットワーク上の全てのブリッジ装置へ転送する、請求項１に記載のブリッジ装置。
【請求項３】
前記エントリ情報管理部は、前記受信者側装置から送信される制御パケットが、前記制御パケット解析部によって、マルチキャスト転送の報告メッセージであると判定されたときは、前記報告メッセージを送信してきた前記受信者側装置を特定するための特定情報を含む前記エントリ情報を登録する、請求項１または２に記載のブリッジ装置。
【請求項４】
前記エントリ情報管理部は、前記受信者側装置から送信される制御パケットが、前記制御パケット解析部によって、マルチキャスト転送の報告メッセージであると判定されたときは、前記タイマ部を設定して、前記タイマ部が満了したときに、前記報告メッセージを送信してきた前記受信者側装置を特定するための特定情報を含む前記エントリ情報を削除する、請求項１から３のいずれかに記載のブリッジ装置。
【請求項５】
複数の受信者側装置と、前記複数の受信者側装置とネットワークを経由して接続されたルータとの間でパケット転送を制御するブリッジ装置であって、
マルチキャストパケットのアドレスと、該マルチキャストパケットの転送先となる前記受信者側装置を特定するための特定情報と、該マルチキャストパケットの転送許可／禁止を示すフラグ情報と、を対応付けてエントリ情報として記憶するエントリ情報記憶部と、
前記エントリ情報を前記エントリ情報記憶部へ登録あるいは削除するエントリ情報管理部と、
前記ルータから受信したマルチキャストパケットを前記受信者側装置に転送するマルチキャストパケット転送部と、
前記受信者側装置から送信される制御パケットを解析する制御パケット解析部と、
タイマ部と、を備え、
前記マルチキャストパケット転送部は、
前記ルータから受信したマルチキャストパケットのアドレスが、前記エントリ情報記憶部のエントリ情報に含まれていて、該エントリ情報に対応付けられている前記フラグ情報が転送許可ならば、該マルチキャストパケットを、該エントリ情報に対応付けられている前記受信者側装置へ個別に転送し、前記フラグ情報が転送禁止であれば転送せず、
前記エントリ情報管理部は、
前記受信者側装置から送信される制御パケットが、前記制御パケット解析部によって、マルチキャスト転送の離脱メッセージであると判定されたときは、前記離脱メッセージを送信してきた前記受信者側装置を特定するための特定情報を含む前記エントリ情報に対応付けられている前記フラグ情報を転送禁止に設定するとともに、前記タイマ部の時刻を計時して、所定時間を計時した後に、前記離脱メッセージを送信してきた前記受信者側装置を特定するための特定情報を含む前記エントリ情報を削除する、ブリッジ装置。
【請求項６】
前記マルチキャストパケット転送部は、前記ルータから受信したマルチキャストパケットのアドレスが、前記エントリ情報記憶部のエントリ情報に含まれていなければ、該マルチキャストパケットをネットワーク上の全てのブリッジ装置へ転送する、請求項５に記載のブリッジ装置。
【請求項７】
前記エントリ情報管理部は、前記受信者側装置から送信される制御パケットが、前記制御パケット解析部によって、マルチキャスト転送の報告メッセージであると判定されたときは、前記報告メッセージを送信してきた前記受信者側装置を特定するための特定情報を含むとともに、前記フラグ情報を転送許可に設定して、前記エントリ情報を登録する、請求項５または６に記載のブリッジ装置。
【請求項８】
前記エントリ情報管理部は、前記受信者側装置から送信される制御パケットが、前記制御パケット解析部によって、マルチキャスト転送の報告メッセージであると判定されたときは、前記タイマ部の時刻を計時して、所定時間を計時した後に、前記報告メッセージを送信してきた前記受信者側装置を特定するための特定情報を含む前記エントリ情報を削除する、請求項５から７のいずれかに記載のブリッジ装置。
【請求項９】
請求項１から８のいずれかに記載のブリッジ装置を内蔵する通信機器。
【請求項１０】
複数の受信者側装置と、前記複数の受信者側装置とネットワークを経由して接続されたルータとの間でパケット転送を制御する方法を、ＣＰＵ、メモリ、タイマ部および通信部を備えるコンピュータに実行させるためのプログラムであって、
前記メモリには、マルチキャストパケットのアドレスと、該マルチキャストパケットの転送先となる前記受信者側装置を特定するための特定情報と、を対応付けたエントリ情報が登録され、
前記方法は、
前記エントリ情報を前記メモリへ登録あるいは削除するエントリ情報管理ステップと、
前記ルータから受信したマルチキャストパケットを前記受信者側装置に転送するマルチキャストパケット転送ステップと、
前記受信者側装置から送信される制御パケットを解析する制御パケット解析ステップと、を備え、
前記マルチキャストパケット転送ステップでは、
前記ルータから受信したマルチキャストパケットのアドレスが、前記メモリに登録されたエントリ情報に含まれていれば、該マルチキャストパケットを、該エントリ情報に対応付けられている前記受信者側装置へ個別に転送し、
前記エントリ情報管理ステップでは、
前記受信者側装置から送信される制御パケットが、前記制御パケット解析ステップによって、マルチキャスト転送の離脱メッセージであると判定されたときは、前記タイマ部の時刻を計時して、所定時間を計時した後に、前記離脱メッセージを送信してきた前記受信者側装置を特定するための特定情報を含む前記エントリ情報を削除する、ことを特徴とするプログラム。
【請求項１１】
複数の受信者側装置と、前記複数の受信者側装置とネットワークを経由して接続されたルータとの間でパケット転送を制御する方法を、ＣＰＵ、メモリ、タイマ部および通信部を備えるコンピュータに実行させるためのプログラムであって、
前記メモリには、マルチキャストパケットのアドレスと、該マルチキャストパケットの転送先となる前記受信者側装置を特定するための特定情報と、該マルチキャストパケットの転送許可／禁止を示すフラグ情報と、を対応付けてエントリ情報として登録され、
前記方法は、
前記エントリ情報を前記メモリへ登録あるいは削除するエントリ情報管理ステップと、
前記ルータから受信したマルチキャストパケットを前記受信者側装置に転送するマルチキャストパケット転送ステップと、
前記受信者側装置から送信される制御パケットを解析する制御パケット解析ステップと、を備え、
前記マルチキャストパケット転送ステップでは、
前記ルータから受信したマルチキャストパケットのアドレスが、前記メモリのエントリ情報に含まれていて、該エントリ情報に対応付けられている前記フラグ情報が転送許可ならば、該マルチキャストパケットを、該エントリ情報に対応付けられている前記受信者側装置へ個別に転送し、前記フラグ情報が転送禁止であれば転送せず、
前記エントリ情報管理ステップでは、
前記受信者側装置から送信される制御パケットが、前記制御パケット解析ステップによって、マルチキャスト転送の離脱メッセージであると判定されたときは、前記離脱メッセージを送信してきた前記受信者側装置を特定するための特定情報を含む前記エントリ情報に対応付けられている前記フラグ情報を転送禁止に設定するとともに、前記タイマ部の時刻を計時して、所定時間を計時した後に、前記離脱メッセージを送信してきた前記受信者側装置を特定するための特定情報を含む前記エントリ情報を削除する、ことを特徴とするプログラム。
【請求項１２】
請求項１０に記載のプログラムを記録した機械読取可能な記録媒体。
【請求項１３】
請求項１１に記載のプログラムを記録した機械読取可能な記録媒体。
【手続補正２】
【補正対象書類名】明細書
【補正対象項目名】００３６
【補正方法】変更
【補正の内容】
【００３６】
この発明のある局面に従うと、複数の受信者側装置と、複数の受信者側装置とネットワークを経由して接続されたルータとの間でパケット転送を制御するブリッジ装置は、マルチキャストパケットのアドレスと、該マルチキャストパケットの転送先となる受信者側装置を特定するための特定情報と、を対応付けてエントリ情報として記憶するエントリ情報記憶部と、エントリ情報をエントリ情報記憶部へ登録あるいは削除するエントリ情報管理部と、ルータから受信したマルチキャストパケットを受信者側装置に転送するマルチキャストパケット転送部と、受信者側装置から送信される制御パケットを解析する制御パケット解析部と、タイマ部と、を備える。
マルチキャストパケット転送部は、ルータから受信したマルチキャストパケットのアドレスが、エントリ情報記憶部のエントリ情報に含まれていれば、該マルチキャストパケットを、該エントリ情報に対応付けられている受信者側装置へ個別に転送する。
エントリ情報管理部は、受信者側装置から送信される制御パケットが、制御パケット解析部によって、マルチキャスト転送の離脱メッセージであると判定されたときは、タイマ部の時刻を計時して、所定時間を計時した後に、離脱メッセージを送信してきた受信者側装置を特定するための特定情報を含むエントリ情報を削除する。
【手続補正３】
【補正対象書類名】明細書
【補正対象項目名】００３７
【補正方法】変更
【補正の内容】
【００３７】
好ましくは、マルチキャストパケット転送部は、ルータから受信したマルチキャストパケットのアドレスが、エントリ情報記憶部のエントリ情報に含まれていなければ、該マルチキャストパケットをネットワーク上の全てのブリッジ装置へ転送する。
【手続補正４】
【補正対象書類名】明細書
【補正対象項目名】００３８
【補正方法】変更
【補正の内容】
【００３８】
好ましくは、エントリ情報管理部は、受信者側装置から送信される制御パケットが、制御パケット解析部によって、マルチキャスト転送の報告メッセージであると判定されたときは、報告メッセージを送信してきた受信者側装置を特定するための特定情報を含むエントリ情報を登録する。
【手続補正５】
【補正対象書類名】明細書
【補正対象項目名】００３９
【補正方法】変更
【補正の内容】
【００３９】
好ましくは、エントリ情報管理部は、受信者側装置から送信される制御パケットが、制御パケット解析部によって、マルチキャスト転送の報告メッセージであると判定されたときは、タイマ部の時刻を計時して、所定時間を計時した後に、報告メッセージを送信してきた受信者側装置を特定するための特定情報を含むエントリ情報を削除する。
【手続補正６】
【補正対象書類名】明細書
【補正対象項目名】００４０
【補正方法】変更
【補正の内容】
【００４０】
この発明の他の局面に従うと、複数の受信者側装置と、複数の受信者側装置とネットワークを経由して接続されたルータとの間でパケット転送を制御するブリッジ装置は、マルチキャストパケットのアドレスと、該マルチキャストパケットの転送先となる受信者側装置を特定するための特定情報と、該マルチキャストパケットの転送許可／禁止を示すフラグ情報と、を対応付けてエントリ情報として記憶するエントリ情報記憶部と、エントリ情報をエントリ情報記憶部へ登録あるいは削除するエントリ情報管理部と、ルータから受信したマルチキャストパケットを受信者側装置に転送するマルチキャストパケット転送部と、受信者側装置から送信される制御パケットを解析する制御パケット解析部と、タイマ部と、を備える。
マルチキャストパケット転送部は、ルータから受信したマルチキャストパケットのアドレスが、エントリ情報記憶部のエントリ情報に含まれていて、該エントリ情報に対応付けられているフラグ情報が転送許可ならば、該マルチキャストパケットを、該エントリ情報に対応付けられている受信者側装置へ個別に転送し、フラグ情報が転送禁止であれば転送しない。
エントリ情報管理部は、受信者側装置から送信される制御パケットが、制御パケット解析部によって、マルチキャスト転送の離脱メッセージであると判定されたときは、離脱メッセージを送信してきた受信者側装置を特定するための特定情報を含むエントリ情報に対応付けられているフラグ情報を転送禁止に設定するとともに、タイマ部の時刻を計時して、所定時間を計時した後に、離脱メッセージを送信してきた受信者側装置を特定するための特定情報を含む前記エントリ情報を削除する。
【手続補正７】
【補正対象書類名】明細書
【補正対象項目名】００４１
【補正方法】変更
【補正の内容】
【００４１】
好ましくは、マルチキャストパケット転送部は、ルータから受信したマルチキャストパケットのアドレスが、エントリ情報記憶部のエントリ情報に含まれていなければ、該マルチキャストパケットをネットワーク上の全てのブリッジ装置へ転送する。
【手続補正８】
【補正対象書類名】明細書
【補正対象項目名】００４２
【補正方法】変更
【補正の内容】
【００４２】
好ましくは、エントリ情報管理部は、受信者側装置から送信される制御パケットが、制御パケット解析部によって、マルチキャスト転送の報告メッセージであると判定されたときは、報告メッセージを送信してきた受信者側装置を特定するための特定情報を含むとともに、フラグ情報を転送許可に設定して、エントリ情報を登録する。
【手続補正９】
【補正対象書類名】明細書
【補正対象項目名】００４３
【補正方法】変更
【補正の内容】
【００４３】
好ましくは、エントリ情報管理部は、受信者側装置から送信される制御パケットが、制御パケット解析部によって、マルチキャスト転送の報告メッセージであると判定されたときは、タイマ部の時刻を計時して、所定時間を計時した後に、報告メッセージを送信してきた受信者側装置を特定するための特定情報を含むエントリ情報を削除する。
【手続補正１０】
【補正対象書類名】明細書
【補正対象項目名】００４４
【補正方法】削除
【補正の内容】
【手続補正１１】
【補正対象書類名】明細書
【補正対象項目名】００４５
【補正方法】削除
【補正の内容】
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】削除
【補正の内容】
【手続補正１４】
【補正対象書類名】明細書
【補正対象項目名】００４８
【補正方法】削除
【補正の内容】
【手続補正１５】
【補正対象書類名】明細書
【補正対象項目名】００４９
【補正方法】削除
【補正の内容】
【手続補正１６】
【補正対象書類名】明細書
【補正対象項目名】００５０
【補正方法】削除
【補正の内容】
【手続補正１７】
【補正対象書類名】明細書
【補正対象項目名】００５１
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】